(57)【要約】【課題】  少ない記録媒体の容量で圧縮データの記録と通常速度での再生動作を行うことができる「記録再生方法および記録再生装置」を提供すること。【解決手段】Ｎ倍速でＣＤ１２から読み出した非圧縮のオーディオデータを圧縮／伸長処理部４０によって圧縮してハードディスク装置１４に記録する動作が終了するまでは、ＣＤ１２から読み出した非圧縮オーディオデータをハードディスク装置１４に記録するとともにこの記録した非圧縮オーディオデータを読み出して再生が行われ、圧縮されたオーディオデータの記録が終了した後は、ＣＤ１２から直接読み出した非圧縮オーディオデータを用いて再生が行われる。【選択図】        図１
2005100559.tif 000002
【特許請求の範囲】
【請求項１】
第１の記録媒体から非圧縮データをＮ倍速で読み出し、この読み出した非圧縮データを第２の記録媒体に、この非圧縮データを圧縮した圧縮データを第３の記録媒体にそれぞれ記録するとともに、前記第２の記録媒体に記録された非圧縮データを読み出して再生する第１のステップと、
前記第１の記録媒体から非圧縮データをＮ倍速で読み出し、この読み出した非圧縮データを圧縮した圧縮データを前記第３の記録媒体に記録するとともに、前記第２の記録媒体に記録された非圧縮データを読み出して再生する第２のステップと、
前記第１の記録媒体から読み出した非圧縮データを再生する第３のステップと、
を有することを特徴とする記録再生方法。
【請求項２】
請求項１において、
前記第２のステップの動作は、前記第１のステップにおいて、前記第１の記録媒体に記録されている前記非圧縮データの１／Ｎの読み出しが終了した後に行われることを特徴とする記録再生方法。
【請求項３】
請求項１または２において、
前記第３のステップの動作は、前記第１および第２のステップにおいて、前記第１の記録媒体に記録されている前記非圧縮データの読み出し、圧縮、前記第３の記録媒体への記録の各動作が終了した後に行われることを特徴とする記録再生方法。
【請求項４】
前記第１の記録媒体は挿抜可能なディスク型記録媒体であり、
前記第２および第３の記録媒体はハードディスク装置であることを特徴とする記録再生方法。
【請求項５】
請求項１〜４のいずれかにおいて、
前記第１および第２のステップにおいて、前記第２の記録媒体から読み出された非圧縮データを再生中に再生動作の中止が指示された場合に、前記圧縮データの記録動作中である旨の通知を行うことを特徴とする記録再生方法。
【請求項６】
請求項５において、
記録動作中である旨の前記通知が行われたときに、再度再生動作の中止が指示された場合に、再生動作とともに前記第２の記録媒体への圧縮データの記録動作を中止することを特徴とする記録再生方法。
【請求項７】
第１の記録媒体から非圧縮データをＮ倍速で読み出す読出し手段と、
前記読み出し手段によって前記第１の記録媒体から読み出された非圧縮データが記録される第２の記録媒体と、
前記読み出し手段によって前記第１の記録媒体から読み出された非圧縮データを圧縮する圧縮手段と、
前記圧縮手段によって非圧縮データを圧縮して生成された圧縮データが記録される第３の記録媒体と、
前記第２の記録媒体に記録された非圧縮データと、前記読出し手段によって前記第１の記録媒体から読み出された非圧縮データのいずれかを再生する再生手段と、
前記読出し手段による非圧縮データの読出しと前記圧縮手段によって圧縮された圧縮データの前記第３の記録媒体への記録が終了するまでは、前記第２の記録媒体に記録された非圧縮データを前記再生手段に再生させ、前記圧縮データの前記第３の記録媒体への記録が終了した後は、前記第１の記録媒体から前記読出し手段によって読み出された非圧縮データを前記再生手段に再生させる制御手段と、
を備えることを特徴とする記録再生装置。
【請求項８】
請求項７において、
前記制御手段は、前記圧縮データの前記第３の記録媒体への記録動作が終了するまでに行われる前記再生手段の再生動作に必要な非圧縮データを前記読出し手段によって前記第１の記録媒体から読み出して前記第２の記録媒体に記録させることを特徴とする記録再生装置。
【請求項９】
請求項７または８において、
前記第１の記録媒体は挿抜可能なディスク型記録媒体であり、
前記第２および第３の記録媒体はハードディスク装置であることを特徴とする記録再生装置。
【請求項１０】
請求項７〜９のいずれかにおいて、
前記圧縮データの前記第３の記録媒体への記録が終了するまでに、前記再生手段による再生動作の中止が指示された場合に、前記圧縮データの記録動作中である旨の通知を行う通知手段をさらに備えることを特徴とする記録再生装置。
【発明の詳細な説明】
【技術分野】
【０００１】
本発明は、ＣＤ等に記録されたオーディオデータを圧縮して録音しながら通常の再生速度で再生を行ってオーディオ音出力を行う記録再生方法および記録再生装置に関する。
【背景技術】
【０００２】
従来から、音楽ＣＤ（コンパクトディスク）から読み出したオーディオデータを読み出して圧縮録音しながら、等倍速でこのオーディオデータを再生する記録再生装置が知られている（例えば、特許文献１、２参照）。これらの記録再生装置では、ＣＤ−ＲＯＭドライブ等のデータ供給源から読み出したＡＶデータを一旦ハードディスク装置に記憶し、その後この記憶されたＡＶデータを用いて圧縮データの作成および記録とともに、通常速度での再生動作を行っている。これにより、ＡＶデータをハードディスク装置に高速に記録するとともに、記録中のＡＶデータの再生を行うことが可能になる。
【特許文献１】特開２００１−２１０００７号公報（第４−７頁、図１−４）
【特許文献２】特開２００３−２２６０６号公報（第２６−３０頁、図５７−７０）
【発明の開示】
【発明が解決しようとする課題】
【０００３】
ところで、上述した特許文献１や特許文献２に開示された記録再生装置では、非圧縮のＡＶデータを全てハードディスク装置に記録して再生処理を行っているため、圧縮データの記録とともに通常速度でオーディオ音を出力する場合にハードディスク装置等の記録媒体に多くの空き容量が必要になるという問題があった。
【０００４】
本発明は、このような点に鑑みて創作されたものであり、その目的は、少ない記録媒体の容量で圧縮データの記録と通常速度での再生動作を行うことができる記録再生方法および記録再生装置を提供することにある。
【課題を解決するための手段】
【０００５】
上述した課題を解決するために、本発明の記録再生方法は、第１の記録媒体から非圧縮データをＮ倍速で読み出し、この読み出した非圧縮データを第２の記録媒体に、この非圧縮データを圧縮した圧縮データを第３の記録媒体にそれぞれ記録するとともに、第２の記録媒体に記録された非圧縮データを読み出して再生する第１のステップと、第１の記録媒体から非圧縮データをＮ倍速で読み出し、この読み出した非圧縮データを圧縮した圧縮データを第３の記録媒体に記録するとともに、第２の記録媒体に記録された非圧縮データを読み出して再生する第２のステップと、第１の記録媒体から読み出した非圧縮データを再生する第３のステップとを有している。非圧縮データを高速に読み出して圧縮して記録するとともに、この記録が終了した後は第１の記録媒体から読み出した非圧縮データを用いて再生を行っているため、第２の記録媒体に記録しておく非圧縮データの量を減らすことが可能になり、少ない第２の記録媒体の容量で、第３の記録媒体に対する圧縮データの記録動作と、通常速度での再生動作を行うことが可能になる。
【０００６】
また、上述した第２のステップの動作は、第１のステップにおいて、第１の記録媒体に記録されている非圧縮データの１／Ｎの読み出しが終了した後に行われることが望ましい。第１の記録媒体からＮ倍速で読み出した非圧縮データを圧縮して第３の記録媒体に記録しているため、全体の１／Ｎを再生した時点で記録動作が終了する。したがって、１／Ｎの再生が終了した後に第２のステップの動作に移行することで、第２の記録媒体に記録される非圧縮データの量を最小にすることができる。
【０００７】
また、上述した第３のステップの動作は、第１および第２のステップにおいて、第１の記録媒体に記録されている非圧縮データの読み出し、圧縮、第３の記録媒体への記録の各動作が終了した後に行われることが望ましい。これにより、再生動作自体は、第１あるいは第２の記録媒体に記録された非圧縮データを用いて行うことが可能になり、圧縮データを用いる場合に比べて再生品質（オーディオデータの場合には音質、画像データの場合は画質）が低下することを防止することができる。
【０００８】
また、上述した第１の記録媒体は挿抜可能なディスク型記録媒体であり、第２および第３の記録媒体はハードディスク装置であることが望ましい。これにより、ＣＤ等の記録媒体に記録された非圧縮データを圧縮してハードディスク装置に短時間で記録することができるとともに、録音動作と並行して行われる再生時の品質低下を防止することが可能になる。
【０００９】
また、上述した第１および第２のステップにおいて、第２の記録媒体から読み出された非圧縮データを再生中に再生動作の中止が指示された場合に、圧縮データの記録動作中である旨の通知を行うことが望ましい。これにより、録音中であることを利用者に警告することができ、強制的に録音動作が中止させられる事態を回避することが可能になる。
【００１０】
また、記録動作中である旨の通知が行われたときに、再度再生動作の中止が指示された場合に、再生動作とともに第２の記録媒体への圧縮データの記録動作を中止することが望ましい。これにより、必要に応じて録音動作を強制的に中止することが可能になる。
【００１１】
また、本発明の記録再生装置は、第１の記録媒体から非圧縮データをＮ倍速で読み出す読出し手段と、読み出し手段によって第１の記録媒体から読み出された非圧縮データが記録される第２の記録媒体と、読み出し手段によって第１の記録媒体から読み出された非圧縮データを圧縮する圧縮手段と、圧縮手段によって非圧縮データを圧縮して生成された圧縮データが記録される第３の記録媒体と、第２の記録媒体に記録された非圧縮データと、読出し手段によって第１の記録媒体から読み出された非圧縮データのいずれかを再生する再生手段と、読出し手段による非圧縮データの読出しと圧縮手段によって圧縮された圧縮データの第３の記録媒体への記録が終了するまでは、第２の記録媒体に記録された非圧縮データを再生手段に再生させ、圧縮データの第３の記録媒体への記録が終了した後は、第１の記録媒体から読出し手段によって読み出された非圧縮データを再生手段に再生させる制御手段とを備えている。非圧縮データを高速に読み出して圧縮して記録するとともに、この記録が終了した後は第１の記録媒体から読み出した非圧縮データを用いて再生を行っているため、第２の記録媒体に記録しておく非圧縮データの量を減らすことが可能になり、少ない第２の記録媒体の容量で、第３の記録媒体に対する圧縮データの記録動作と、通常速度での再生動作を行うことが可能になる。
【００１２】
また、上述した制御手段は、圧縮データの第３の記録媒体への記録動作が終了するまでに行われる再生手段の再生動作に必要な非圧縮データを読出し手段によって第１の記録媒体から読み出して第２の記録媒体に記録させることが望ましい。これにより、第２の記録媒体に記録される非圧縮データの量を最小にすることができる。
【００１３】
また、上述した第１の記録媒体は挿抜可能なディスク型記録媒体であり、第２および第３の記録媒体はハードディスク装置であることが望ましい。これにより、ＣＤ等の記録媒体に記録された非圧縮データを圧縮してハードディスク装置に短時間で記録することができるとともに、録音動作と並行して行われる再生時の品質低下を防止することが可能になる。
【００１４】
また、上述した圧縮データの第３の記録媒体への記録が終了するまでに、再生手段による再生動作の中止が指示された場合に、圧縮データの記録動作中である旨の通知を行うことが望ましい。これにより、録音中であることを利用者に警告することができ、強制的に録音動作が中止させられる事態を回避することが可能になる。
【発明を実施するための最良の形態】
【００１５】
以下、本発明を適用した一実施形態の記録再生装置について、図面を参照しながら詳細に説明する。
【００１６】
図１は、一実施形態の記録再生装置の全体構成を示す図である。図１に示すように、本実施形態の記録再生装置１００は、ディスクドライブ装置１０、ハードディスク装置（ＨＤＤ）１４、ＣＰＵ２０、メモリ２２、操作部２８、ディスプレイ装置３０、圧縮／伸長処理部４０、デジタル−アナログ変換器（Ｄ／Ａ）４２を含んで構成されている。
【００１７】
ディスクドライブ装置１０は、ＣＤ１２に記録されたオーディオデータを読み取るためのものであり、非圧縮ＰＣＭデータからなるオーディオデータを出力する。ハードディスク装置１４は、ＣＤ１２から読み取ったオーディオデータを圧縮して記録するとともに、この読み取ったオーディオデータの一部を圧縮せずに記録する。
【００１８】
ＣＰＵ２０は、記録再生装置１００の全体を制御しており、ＣＤ１２からのオーディオデータの読み出し動作やハードディスク装置１４に対するオーディオデータの記録動作、あるいはこの記録されたオーディオデータを用いた再生動作等を指示する。メモリ２２は、ＣＰＵ２０の動作プログラムを格納するとともに、ＣＰＵ２０の作業領域として使用される。なお、ＣＰＵ２０の動作プログラムは、全てをメモリ２２に格納してもよいが、必要に応じてハードディスク装置１４に格納するようにしてもよい。
【００１９】
操作部２８は、利用者が記録再生装置１００に対してオーディオデータの記録（録音）や再生を指示するためのものであり、記録再生装置１００の筐体の前面に設けられている。例えば、再生、録音、停止等の各操作ボタンやボリューム等が備わっている。ディスプレイ装置３０は、オーディオデータの録音状態や再生状態を表示するとともに、操作部２８を用いた操作内容を表示するものであり、記録再生装置１００の筐体の前面に設けられている。
【００２０】
圧縮／伸長処理部４０は、ディスクドライブ装置１０によって読み出されたオーディオデータを圧縮してハードディスク装置１４に記録するとともに、この記録された圧縮後のオーディオデータを読み出して伸長する再生処理を行う。再生処理によって伸長された後のオーディオデータは、デジタル−アナログ変換器４２に入力され、アナログのオーディオ信号に変換された後スピーカ４４から出力される。なお、図１では省略されているが、デジタル−アナログ変換器４２から出力されたオーディオ信号はアンプによって増幅された後スピーカ４４に入力される。また、図１では、１組のデジタル−アナログ変換器４２とスピーカ４４が図示されているが、実際にはチャンネル構成に対応したデジタル−アナログ変換器４２とスピーカ４４とが組み合わされて接続されている。例えば、２ｃｈ（チャンネル）構成の場合には左右２つのスピーカ４４と、それぞれのスピーカ４４に接続された２つのデジタル−アナログ変換器４２が備わっている。また、５．１ｃｈ構成の場合には、フロント左右、リヤ左右、センター、サブウーハ用に合計で６つのスピーカ４４とこれらに接続される６つのデジタル−アナログ変換器４２が備わっている。
【００２１】
上述したＣＤ１２が第１の記録媒体に、ハードディスク装置１４が第２および第３の記録媒体に、ディスクドライブ装置１０が読出し手段に、圧縮／伸長処理部４０が圧縮手段に、デジタル−アナログ変換器４２、スピーカ４４が再生手段に、ＣＰＵ２０が制御手段に、ディスプレイ装置３０が通知手段にそれぞれ対応する。
【００２２】
本実施形態の記録再生装置１００はこのような構成を有しており、次にその動作を説明する。図２は、本実施形態の記録再生装置１００の動作手順を示す図であり、ＣＤ１２に記録されたオーディオデータを高速に読み出して圧縮し、ハードディスク装置１４に記録する場合の動作手順が示されている。
【００２３】
ＣＰＵ２０は、利用者による録音指示に応じて録音を開始するか否かを判定しており（ステップ１００）、録音指示がなされていない場合には否定判断を行ってこの判定を繰り返す。また、利用者による録音指示が行われるとステップ１００の判定において肯定判断が行われ、次に、ＣＰＵ２０は、一連の録音動作を行うためにＣＤ１２からＮ倍速でオーディオデータの読み出しを開始した後（ステップ１０１）、ＣＤ１２の１枚分のオーディオデータの録音が終了したか否かを判定する（ステップ１０２）。ＣＤ１枚分の録音が終了していない場合には否定判断が行われ、次に、ＣＰＵ２０は、ＣＤ１枚分のオーディオデータの１／Ｎの読み出しが終了したか否かを判定する（ステップ１０３）。１／Ｎのオーディオデータの読み出しが終了していない場合には否定判断が行われ、次に、ＣＰＵ２０は、ＣＤ１２から読み出したオーディオデータを非圧縮の状態でハードディスク装置１４に記録する（ステップ１０４）。
【００２４】
このようにして非圧縮のオーディオデータの記録を行った後、あるいは、ＣＤ１枚分のオーディオデータの１／Ｎの読み出しが終了してステップ１０３の判定において肯定判断が行われた後に、ＣＰＵ２０は、ハードディスク装置１４に記録されている非圧縮のオーディオデータを読み出して再生を行う（ステップ１０５）。この再生は、非圧縮のオーディオデータをデジタル−アナログ変換器４２に入力してアナログのオーディオ音信号に変換してスピーカ４４から出力することにより行われる。
【００２５】
また、上述した一連の再生動作（ステップ１０３〜１０５）と並行して、圧縮／伸長処理部４０は、ＣＰＵ２０によってＣＤ１２からＮ倍速で読み出されたオーディオデータを圧縮し（ステップ１０６）、ハードディスク装置１４に記録する（ステップ１０７）。
【００２６】
次に、ＣＰＵ２０は、再生動作の中止が利用者によって指示されたか否かを判定する（ステップ１０８）。再生中止が指示されていない場合には否定判断が行われ、ステップ１０２に戻ってＣＤ１枚分の録音終了の判定動作以降が繰り返される。また、再生中止が指示された場合にはステップ１０８の判定において肯定判断が行われ、次に、ＣＰＵ２０は、ディスプレイ装置３０に録音中である旨の表示を行った後（ステップ１０９）、再度再生中止の指示が利用者によってなされたか否かを判定する（ステップ１１０）。録音中である旨の表示の後に再生中止の指示が行われない場合には否定判断が行われ、ステップ１０２に戻ってＣＤ１枚分の録音終了の判定動作以降が繰り返される。また、録音中である旨の表示の後に再び再生中止が指示された場合にはステップ１１０の判定において肯定判断が行われ、ＣＰＵ２０は、再生動作と録音動作を中止して一連の動作を終了する（ステップ１１１）。なお、上述した例では、録音動作と並行して再生動作が行われているときに再生中止が指示された場合には録音動作と再生動作の両方を終了させるようにしたが、再生動作のみを中止して録音動作を継続するようにしてもよい。あるいは、再生中止とともに録音中止の有無を判定し、中止が指示された動作のみを終了させるようにしてもよい。
【００２７】
また、ＣＤ１枚分の録音が終了してステップ１０２の判定において肯定判断が行われた後は、ハードディスク装置１４に記録された非圧縮のオーディオデータを用いてそれまで行っていた再生動作（ステップ１０５）における再生箇所から継続して再生動作を行うために、ＣＤ１２から非圧縮のオーディオデータを等倍速で直接読み出す動作を開始し（ステップ１１２）、この読み出した非圧縮のオーディオデータを用いて再生動作を行う（ステップ１１３）。その後、ＣＰＵ２０は、ＣＤ１枚分の再生が終了したか否か（ステップ１１４）、再生中止が利用者によって指示されたか否か（ステップ１１５）を判定する。ＣＤ１枚分の再生が終了しておらず（ステップ１１４において否定判断）、再生中止が指示されていない場合（ステップ１１５において否定判断）には、ステップ１１３に戻ってＣＤ１２から読み出したオーディオデータを用いた再生動作が繰り返される。また、再生中止が指示された場合にはステップ１１５の判定において肯定判断が行われ、ＣＰＵ２０は、再生動作を中止して（ステップ１１６）、一連の動作を終了する。また、ＣＤ１枚分の再生が終了した場合にはステップ１１４の判定において肯定判断が行われ、ＣＰＵ２０は一連の動作を終了する。
【００２８】
図３〜図５は、本実施形態の録音動作と再生動作の概要を示す図である。例えば、ディスクドライブ装置１０によってＣＤ１２から４倍速（Ｎ＝４）でオーディオデータの読み出しを行う場合の概要が示されている。
【００２９】
（第１のステップ）ＣＤ１２からＣＤ１枚分のオーディオデータの１／４の読み出しが終了するまでは、この読み出したオーディオデータを圧縮してハードディスク装置１４に記録する動作と、この読み出したオーディオデータを非圧縮の状態でハードディスク装置１４に一旦記録した後に読み出して通常速度で再生する動作とが並行して進められる（図３）。
【００３０】
（第２のステップ）また、ＣＤ１２からＣＤ１枚分のオーディオデータの１／４の読み出しが終了した後、圧縮したオーディオデータをハードディスク装置１４に対して記録する動作が終了するまでは、ＣＤ１２からＮ倍速で読み出したオーディオデータを圧縮してハードディスク装置１４に記録する動作と、ハードディスク装置１４に既に記録されている非圧縮のオーディオデータを読み出して再生する動作とが並行して進められる（図４）。
【００３１】
（第３のステップ）さらに、圧縮したオーディオデータをハードディスク装置１４に対して記録する動作が終了した後は、ＣＤ１２から残りのオーディオデータを直接読み出して再生する動作が行われる（図５）。
【００３２】
このように、本実施形態の記録再生装置１００では、非圧縮のオーディオデータをＣＤ１２から高速に読み出して圧縮して記録するとともに、この記録が終了した後はＣＤ１２から直接読み出した非圧縮のオーディオデータを用いて再生を行っているため、ハードディスク装置１４に記録しておく非圧縮のオーディオデータの量を減らすことが可能になり、少ないハードディスク装置１４の容量で、圧縮後のオーディオデータの記録動作と非圧縮の通常速度での再生動作を行うことが可能になる。
【００３３】
また、ＣＤ１２からＮ倍速で読み出した非圧縮のオーディオデータを圧縮してハードディスク装置１４に記録しているため、全体の１／Ｎを再生した時点で記録動作が終了する。したがって、１／Ｎの再生が終了した後に第２のステップの動作に移行することで、ハードディスク装置１４に記録される非圧縮のオーディオデータの量を最小にすることができる。また、再生動作自体は、ＣＤ１２あるいはハードディスク装置１４に記録された非圧縮のオーディオデータを用いて行うことが可能になり、圧縮のオーディオデータを用いる場合に比べて再生品質（音質）が低下することを防止することができる。
【００３４】
また、ハードディスク装置１４から読み出された非圧縮のオーディオデータを再生中に再生動作の中止が指示された場合に、記録動作中（録音中）である旨の表示を行って利用者に警告することができ、強制的に録音動作が中止させられる事態を回避することが可能になる。また、録音中である旨の表示が行われたときに再度再生動作の中止が指示された場合に、再生動作とともにハードディスク装置１４への圧縮されたオーディオデータの記録動作を中止しており、必要に応じて録音動作を強制的に中止することが可能になる。
【００３５】
なお、本発明は上記実施形態に限定されるものではなく、本発明の要旨の範囲内において種々の変形実施が可能である。上述した実施形態では、非圧縮のオーディオデータをＣＤ１２から読み出したが、その他の記録媒体、例えばＤＶＤに記録されたオーディオデータを読み出すようにしてもよい。また、ＣＤ１２から読み出した非圧縮のオーディオデータと圧縮後のオーディオデータの両方をハードディスク装置１４に記録したが、別々の記録媒体、例えば非圧縮のオーディオデータをハードディスク装置１４（第２の記録媒体）に記録し、圧縮後のオーディオデータを半導体メモリを用いたメモリカード等（第３の記録媒体）に記録するようにしてもよい。あるいは、ハードディスク装置１４の代わりに大容量の半導体メモリを用いるようにしてもよい。
【００３６】
また、上述した実施形態では、オーディオデータの記録と再生を行う場合を考えたが、オーディオデータ以外、例えば画像データの記録と再生を行う場合にも本発明を適用することができる。
【００３７】
また、上述した実施形態では、録音中に再生中止が指示されたときに、録音中である旨の表示をディスプレイ装置３０を用いて行うようにしたが、録音中である旨の通知方法はそれ以外の方法、例えばスピーカ４４から特定の音声を出力するようにしてもよい。
【図面の簡単な説明】
【００３８】
【図１】一実施形態の記録再生装置の全体構成を示す図である。
【図２】本実施形態の記録再生装置の動作手順を示す図である。
【図３】本実施形態の録音動作と再生動作の概要を示す図である。
【図４】本実施形態の録音動作と再生動作の概要を示す図である。
【図５】本実施形態の録音動作と再生動作の概要を示す図である。
【符号の説明】
【００３９】
１０  ディスクドライブ装置
１２  ＣＤ
１４  ハードディスク装置（ＨＤＤ）
２０  ＣＰＵ
２２  メモリ
２８  操作部
３０  ディスプレイ装置
４０  圧縮／伸長処理部
４２  デジタル−アナログ変換器（Ｄ／Ａ）
４４  スピーカ
１００  記録再生装置
【図１】
2005100559.tif 000003
【図２】
2005100559.tif 000004
【図３】
2005100559.tif 000005
【図４】
2005100559.tif 000006
【図５】
2005100559.tif 000007